(57)【要約】本開示は、無線ネットワーク内の２つのノード間で構成情報を管理および交換する方法およびシステムに関する。一実施形態では、第１のノード上に実装される方法が、開示される。方法は、第１のノードに関連付けられた第１の構成情報を含む第１のメッセージを生成することと、構成情報を第２のノードと交換するために、第１のメッセージを第２のノードに伝送することであって、第１のノードおよび第２のノードは、基地局として、無線ネットワーク内の少なくとも１つのセルに協働してサービス提供する、こととを含む。
2020523808.tif 000002
【特許請求の範囲】
【請求項１】
第１のノード上に実装される方法であって、前記方法は、
前記第１のノードに関連付けられた第１の構成情報を含む第１のメッセージを生成することと、
構成情報を第２のノードと交換するために、前記第１のメッセージを前記第２のノードに伝送することと
を含み、
前記第１のノードおよび前記第２のノードは、基地局として、無線ネットワーク内の少なくとも１つのセルに協働してサービス提供する、方法。
【請求項２】
前記第１のノードは、前記基地局の分散型ユニットであり、前記第２のノードは、前記基地局の集中型ユニットである、請求項１に記載の方法。
【請求項３】
前記第１の構成情報は、
前記第２のノードが前記第１のノードを識別および管理するための前記第１のノードの識別情報であって、前記識別情報は、識別フラグまたは前記第１のノードと前記第２のノードとの間の伝送チャネルについての情報によって搬送される、識別情報と、
前記第１のノードによってサポートされる公衆移動通信網または追跡エリア識別のリストと、
前記第１のノードの能力情報と、
前記第１のノードに関連付けられた前記少なくとも１つのセルの容量クレジット情報と、
前記第１のノードの容量クレジット情報と、
各公衆移動通信網または各追跡エリア識別ごとの前記第１のノードによってサポートされるネットワークスライスについての情報と、
前記第１のノードによってサポートされるエアインターフェースのタイプと
のうちの少なくとも１つを含む、請求項１に記載の方法。
【請求項４】
前記第１のノードに関連付けられた更新された構成情報を含む更新要求メッセージを生成することと、
前記第１のノードに関連付けられた前記第１の構成情報を更新するために、前記更新要求メッセージを前記第２のノードに伝送することと、
第２のメッセージおよび第３のメッセージのうちの少なくとも１つを前記第２のノードから受信することであって、
前記第２のメッセージは、前記更新の確認を示し、
前記第３のメッセージは、前記更新の失敗を示す、
ことと
をさらに含む、請求項１に記載の方法。
【請求項５】
第２のメッセージおよび第３のメッセージのうちの少なくとも１つを前記第２のノードから受信することをさらに含み、
前記第２のメッセージは、前記第２のノードに関連付けられた第２の構成情報を含み、
前記第３のメッセージは、前記構成情報の交換の失敗を示す、請求項１に記載の方法。
【請求項６】
前記第２の構成情報は、
前記第２のノードの識別情報と、
前記第２のノードによってサポートされる公衆移動通信網または追跡エリア識別のリストと、
各公衆移動通信網または各追跡エリア識別ごとの前記第２のノードによってサポートされるネットワークスライスについての情報と、
前記第２のノードが属するプールについての情報と
のうちの少なくとも１つを含む、請求項５に記載の方法。
【請求項７】
前記第２のノードから、前記第２のノードに関連付けられた前記第２の構成情報を更新するための更新要求メッセージを受信することであって、前記更新要求メッセージは、前記第２のノードに関連付けられた更新された構成情報を含む、ことと、
第２のメッセージおよび第３のメッセージのうちの少なくとも１つを前記第２のノードに伝送することであって、
前記第２のメッセージは、前記更新の確認を示し、
前記第３のメッセージは、前記更新の失敗を示す、
ことと
をさらに含む、請求項５に記載の方法。
【請求項８】
ステータス要求メッセージを前記第２のノードから受信することであって、前記ステータス要求メッセージは、前記第１のノードに関連付けられた前記少なくとも１つのセルに関連するリソースステータス情報を要求するために、前記第２のノードによって送信される、ことと、
前記第２のノードによって要求される前記リソースステータス情報の少なくとも一部を含むステータス更新メッセージを生成することと、
前記ステータス更新メッセージを前記第２のノードに伝送することと
をさらに含む、請求項１に記載の方法。
【請求項９】
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、請求項８に記載の方法。
【請求項１０】
第２のメッセージおよび第３のメッセージのうちの少なくとも１つを前記第２のノードに伝送することをさらに含み、
前記第２のメッセージは、前記少なくとも１つのセルのうちのいくつかにおけるリソースステータス情報の測定失敗を示し、
前記第３のメッセージは、前記少なくとも１つのセルの全てにおけるリソースステータス情報の測定失敗を示す、請求項８に記載の方法。
【請求項１１】
第１のノード上に実装される方法であって、前記方法は、
構成情報を第２のノードと交換するための第１のメッセージを前記第２のノードから受信することを含み、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供する、方法。
【請求項１２】
前記第１のノードは、前記基地局の集中型ユニットであり、
前記第２のノードは、前記基地局の分散型ユニットである、請求項１１に記載の方法。
【請求項１３】
前記第１の構成情報は、
前記第１のノードが前記第２のノードを識別および管理するための前記第２のノードの識別情報であって、前記識別情報は、識別フラグまたは前記第１のノードと前記第２のノードとの間の伝送チャネルについての情報によって搬送される、識別情報と、
前記第２のノードによってサポートされる公衆移動通信網または追跡エリア識別のリストと、
前記第２のノードの能力情報と、
前記第２のノードに関連付けられた前記少なくとも１つのセルの容量クレジット情報と、
前記第２のノードの容量クレジット情報と、
各公衆移動通信網または各追跡エリア識別ごとの前記第２のノードによってサポートされるネットワークスライスについての情報と、
前記第２のノードによってサポートされるエアインターフェースのタイプと
のうちの少なくとも１つを含む、請求項１１に記載の方法。
【請求項１４】
前記第２のノードに関連付けられた前記第１の構成情報を更新するための更新要求メッセージを前記第２のノードから受信することであって、前記更新要求メッセージは、前記第２のノードに関連付けられた更新された構成情報を含む、ことと、
第２のメッセージおよび第３のメッセージのうちの少なくとも１つを前記第２のノードに伝送することであって、
前記第２のメッセージは、前記更新の確認を示し、
前記第３のメッセージは、前記更新の失敗を示す、
ことと
をさらに含む、請求項１１に記載の方法。
【請求項１５】
第２のメッセージおよび第３のメッセージのうちの少なくとも１つを前記第２のノードに伝送することをさらに含み、
前記第２のメッセージは、前記第１のノードに関連付けられた第２の構成情報を含み、
前記第３のメッセージは、前記構成情報の交換の失敗を示す、請求項１１に記載の方法。
【請求項１６】
前記第２の構成情報は、
前記第１のノードの識別情報と、
前記第１のノードによってサポートされる公衆移動通信網または追跡エリア識別のリストと、
各公衆移動通信網または各追跡エリア識別ごとの前記第１のノードによってサポートされるネットワークスライスについての情報と、
前記第１のノードが属するプールについての情報と
のうちの少なくとも１つを含む、請求項１５に記載の方法。
【請求項１７】
前記第２のノードに、前記第１のノードに関連付けられた前記第２の構成情報を更新するための更新要求メッセージを伝送することであって、前記更新要求メッセージは、前記第１のノードに関連付けられた更新された構成情報を含む、ことと、
第２のメッセージおよび第３のメッセージのうちの少なくとも１つを前記第２のノードから受信することであって、
前記第２のメッセージは、前記更新の確認を示し、
前記第３のメッセージは、前記更新の失敗を示す
ことと
をさらに含む、請求項１５に記載の方法。
【請求項１８】
前記第２のノードに、前記第２のノードに関連付けられた前記少なくとも１つのセルに関連するリソースステータス情報を要求するためのステータス要求メッセージを伝送することと、
前記第２のノードから、前記第１のノードによって要求される前記リソースステータス情報の少なくとも一部を含むステータス更新メッセージを受信することと
をさらに含む、請求項１１に記載の方法。
【請求項１９】
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、請求項１８に記載の方法。
【請求項２０】
第２のメッセージおよび第３のメッセージのうちの少なくとも１つを前記第２のノードから受信することをさらに含み、
前記第２のメッセージは、前記少なくとも１つのセルのうちのいくつかにおけるリソースステータス情報の測定失敗を示し、
前記第３のメッセージは、前記少なくとも１つのセルの全てにおけるリソースステータス情報の測定失敗を示す、請求項１８に記載の方法。
【請求項２１】
第１のノードであって、前記第１のノードは、
前記第１のノードに関連付けられた第１の構成情報を含む第１のメッセージを生成するように構成された構成生成器と、
構成情報を第２のノードと交換するために、前記第１のメッセージを前記第２のノードに伝送するように構成された送信機と
を備え、
前記第１のノードおよび前記第２のノードは、基地局として、無線ネットワーク内の少なくとも１つのセルに協働してサービス提供する、第１のノード。
【請求項２２】
前記第１の構成情報は、
前記第２のノードが前記第１のノードを識別および管理するための前記第１のノードの識別情報であって、前記識別情報は、識別フラグまたは前記第１のノードと前記第２のノードとの間の伝送チャネルについての情報によって搬送される、識別情報と、
前記第１のノードによってサポートされる公衆移動通信網または追跡エリア識別のリストと、
前記第１のノードに関連付けられた少なくとも１つのセルの容量クレジット情報と、
前記第１のノードの容量クレジット情報と、
各公衆移動通信網または各追跡エリア識別ごとの前記第１のノードによってサポートされるネットワークスライスについての情報と、
前記第１のノードによってサポートされるエアインターフェースのタイプと
のうちの少なくとも１つを含む、請求項２１に記載の第１のノード。
【請求項２３】
ステータス要求メッセージを前記第２のノードから受信するように構成された受信機であって、前記ステータス要求メッセージは、前記第１のノードに関連付けられた前記少なくとも１つのセルに関連するリソースステータス情報を要求するために、前記第２のノードによって送信される、受信機と、
前記第２のノードによって要求される前記リソースステータス情報の少なくとも一部を含むステータス更新メッセージを生成するように構成されたステータスレポータと
をさらに備え、
前記送信機は、前記ステータス更新メッセージを前記第２のノードに伝送するようにさらに構成されている、請求項２１に記載の第１のノード。
【請求項２４】
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、請求項２３に記載の第１のノード。
【請求項２５】
第１のノードであって、前記第１のノードは、
構成情報を第２のノードと交換するための第１のメッセージを前記第２のノードから受信するように構成された受信機を備え、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供する、第１のノード。
【発明の詳細な説明】
【技術分野】
【０００１】
本開示は、概して、無線通信に関し、より具体的には、無線ネットワーク内の２つのノード間で構成情報を管理および交換するためのシステムおよび方法に関する。
【背景技術】
【０００２】
５Ｇモバイル通信におけるユーザからの膨大な接続およびより高いレート要件に起因して、ＬＴＥにおけるＢＢＵ（ベースバンドユニット）とＲＲＵ（無線遠隔ユニット）との間のフロントホールインターフェースＣＰＲＩ（共通公衆無線インターフェース）の伝送容量に対して大きな課題が存在する。ＣＰＲＩインターフェースは、物理層コーディングによって処理されたＩ／Ｑ（実際／想像上の）信号を伝送するので、ＣＰＲＩインターフェースは、伝送遅延および帯域幅に対するより厳格な要件を有する。５Ｇエアインターフェースレートが、数十Ｇｂｐｓまで増加させられる場合、ＣＰＲＩインターフェースのトラフィック需要は、Ｔｂｐｓレベルまで上昇し、それは、ネットワーク展開のコストへの大きな圧力と難点とをもたらすであろう。したがって、５Ｇでは、伝送容量、伝送遅延、展開の容易性、および他の側面を考慮して、フロントホールインターフェースの分割を再定義する必要がある。例えば、非理想的フロントホール伝送を考慮するとき、基地局（ＢＳ）を分割する場合、集中型ユニット（ＣＵ）等の遅延に敏感でないネットワーク機能を第１のネットワーク要素内に置き、遅延に敏感なネットワーク機能を分散型ユニット（ＤＵ）等の第２のネットワーク要素内に置き得る。理想的および／または非理想的フロントホール伝送が、第１および第２のネットワーク要素間に存在する。
【０００３】
ＣＵおよびＤＵは、互いに通信するためのフロントホールインターフェースを必要とするので、ＣＵとＤＵとの間で構成情報を交換および更新することによって、ＣＵ−ＤＵインターフェース確立を実施する必要がある。加えて、１つのＣＵが１つ以上のＤＵを管理するので、ＤＵ負荷情報管理を実施する必要性もある。
【発明の概要】
【課題を解決するための手段】
【０００４】
本明細書に開示される例示的実施形態は、従来技術に提示される問題のうちの１つ以上のものに関連する問題を解決し、かつ添付の図面と関連して検討されるときに以下の発明を実施するための形態を参照することによって容易に明白であろう追加の特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本開示の範囲内に留まったまま行われることができることが、本開示を熟読する当業者に明白であろう。
【０００５】
一実施形態では、第１のノード上に実装される方法が、開示される。方法は、第１のノードに関連付けられた第１の構成情報を含む第１のメッセージを生成することと、構成情報を第２のノードと交換するために、第１のメッセージを第２のノードに伝送することとを含み、第１のノードおよび第２のノードは、基地局として、無線ネットワーク内の１つ以上のセルに協働してサービス提供する。
【０００６】
さらなる実施形態では、第１のノード上に実装される方法が、開示される。方法は、構成情報を第２のノードと交換するための第１のメッセージを第２のノードから受信することを含み、第１のメッセージは、第２のノードに関連付けられた第１の構成情報を含み、第１のノードおよび第２のノードは、基地局として、無線ネットワーク内の１つ以上のセルに協働してサービス提供する。
【０００７】
別の実施形態では、第１のノードが、開示される。第１のノードは、第１のノードに関連付けられた第１の構成情報を含む第１のメッセージを生成するように構成された構成生成器と、構成情報を第２のノードと交換するために、第１のメッセージを第２のノードに伝送するように構成された送信機とを備え、第１のノードおよび第２のノードは、基地局として、無線ネットワーク内の１つ以上のセルに協働してサービス提供する。
【０００８】
さらに別の実施形態では、第１のノードが、開示される。第１のノードは、構成情報を第２のノードと交換するための第１のメッセージを第２のノードから受信するように構成された受信機を備え、第１のメッセージは、第２のノードに関連付けられた第１の構成情報を含み、第１のノードおよび第２のノードは、基地局として、無線ネットワーク内の１つ以上のセルに協働してサービス提供する。
【０００９】
本開示の種々の例示的実施形態は、以下の図を参照して下で詳細に説明される。図面は、例証目的のためだけに提供され、単に、本開示の読者の理解を促進するための本開示の例示的実施形態を描写する。したがって、図面は、本開示の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【００１０】
【図１】図１は、本開示のいくつかの実施形態による基地局の第１のネットワーク要素と第２のネットワーク要素との間のフロントホールインターフェースを図示する。
【００１１】
【図２】図２は、本開示のいくつかの実施形態による第１のネットワーク要素と第２のネットワーク要素との間の例示的機能分割を図示する。
【００１２】
【図３】図３は、本開示のいくつかの実施形態による分散型ユニット（ＤＵ）の例示的ブロック図を図示する。
【００１３】
【図４】図４は、本開示のいくつかの実施形態によるＤＵの例示的構成情報を図示する。
【００１４】
【図５】図５は、本開示のいくつかの実施形態によるＣＵの例示的構成情報を図示する。
【００１５】
【図６】図６は、本開示のいくつかの実施形態によるＤＵによって報告される例示的リソースステータス情報を図示する。
【００１６】
【図７】図７は、本開示のいくつかの実施形態による集中型ユニット（ＣＵ）の例示的ブロック図を図示する。
【００１７】
【図８】図８は、本開示のいくつかの実施形態によるＤＵとＣＵとの間のインターフェース設定のための例示的方法を図示する。
【００１８】
【図９】図９は、本開示のいくつかの実施形態によるＣＵとＤＵとの間のＤＵ構成を更新するための例示的方法を図示する。
【００１９】
【図１０】図１０は、本開示のいくつかの実施形態によるＣＵとＤＵとの間のＣＵ構成を更新するための例示的方法を図示する。
【００２０】
【図１１】図１１は、本開示のいくつかの実施形態によるＤＵリソースステータスを報告および監視するための例示的方法を図示する。
【発明を実施するための形態】
【００２１】
本開示の種々の例示的実施形態は、当業者が本開示を作製および使用することを可能にするために、付随の図を参照して下で説明される。当業者に明白であろうように、本開示を熟読後、本明細書に説明される例の種々の変更または修正が、本開示の範囲から逸脱することなく、行われることができる。したがって、本開示は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本開示の範囲内に留まったまま、並べ替えられることができる。したがって、当業者は、本明細書に開示される方法および技法が、種々のステップまたは行為をサンプル順序において提示し、本開示が、明示的にそうではないことが述べられない限り、提示される具体的順序または階層に限定されないことを理解するであろう。
【００２２】
本教示は、第１のネットワーク要素と第２のネットワーク要素との間のインターフェースを確立し、インターフェース構成を更新または維持する方法を開示し、方法は、インターフェースが最初に確立され、その構成がＣＵ−ＤＵ分離アーキテクチャ下で更新されることを確実にする。加えて、本教示は、第１のネットワーク要素と第２のネットワーク要素との間のリソースステータスを報告および監視することによって、ＣＵがその接続されたＤＵのリソース使用量を完全に理解し、ＤＵリソースステータスに基づく無線リソース管理（ＲＲＭ）決定のような賢明な決定を行うことができる方法を開示する。
【００２３】
５Ｇの新しい無線（ＮＲ）ネットワークでは、基地局は、第１のネットワーク要素（集中型ネットワーク要素ＣＵ）と、第２のネットワーク要素（分散型ネットワーク要素ＤＵ）とに分離される。図１は、本開示のいくつかの実施形態による基地局（ＢＳ）１００の第１のネットワーク要素と第２のネットワーク要素との間のフロントホールインターフェースを図示する。図１に示されるように、ＢＳ１００は、第１のネットワーク要素１１０と、第２のネットワーク要素１２０とに分割される。第１のネットワーク要素１１０と第２のネットワーク要素１２０とは、フロントホールインターフェース１３０を通して通信し、フロントホールは、異なる遅延に従って、理想的フロントホールまたは非理想的フロントホールであることができる。理想的フロントホール伝送は、数十〜数百マイクロ秒等の比較的に小遅延を有する。非理想的フロントホール伝送は、ミリ秒等の比較的に大遅延を有する。理想的フロントホール伝送と非理想的フロントホール伝送と間の差異に起因して、異なるネットワーク機能を第１のネットワーク要素１１０と第２のネットワーク要素１２０とに分割するための異なる方法が存在する。
【００２４】
一実施形態では、第１のネットワーク要素１１０は、ＣＵであり、第２のネットワーク要素１２０は、ＤＵであり、ＣＵ１１０とＤＵ１２０とは、協働して、基地局として、１つ以上のセルにサービス提供することができる。１つのＣＵは、複数のＤＵを同時に制御し得る一方、ＤＵは、１つのセル、または１つ以上のセルを含むセルリストに関連付けられることができる。ＣＵを用いていくつかのＤＵを制御することによって、無線システムは、ベースバンド集中型処理を有し、分散型遠隔サービスをクラウドアーキテクチャ内のユーザに提供することができる。
【００２５】
ＣＵ−ＤＵ分離ネットワークアーキテクチャでは、遅延に敏感でないネットワーク機能は、ＣＵ内に設置され得、遅延に敏感なネットワーク機能は、ＤＵ内に設置され得る。故に、ＣＵおよびＤＵは、異なるネットワーク機能を実装するために、異なるハードウェアおよび構造を有し得る。
【００２６】
例えば、第１のプロトコルエンティティ（例えば、無線リソース制御（ＲＲＣ）エンティティ）は、ＣＵに位置する。第１のプロトコルエンティティは、制御信号を生成し、無線ベアラの確立、修正、および／または解放を維持し、基地局の第２のプロトコルエンティティ、第３のプロトコルエンティティ、第４のプロトコルエンティティ、および物理（ＰＨＹ）層の更新されたパラメータを維持する。第２のプロトコルエンティティは、ＬＴＥシステムのＰＤＣＰ（パケットデータ収束プロトコル）機能と比較して、類似した、または向上した機能を有する。第３のプロトコルエンティティは、ＬＴＥシステムのＲＬＣ（無線リンク制御）機能と比較して、類似した、または向上した機能を有する。第４のプロトコルエンティティは、ＬＴＥシステムのＭＡＣ（媒体アクセス制御）機能と比較して、類似した、または向上した機能を有する。ＤＵは、基地局の第２のプロトコルエンティティ、第３のプロトコルエンティティ、第４のプロトコルエンティティ、物理層、および無線周波数（ＲＦ）ユニットのうちの少なくとも１つを含む。
【００２７】
図２は、本開示のいくつかの実施形態による第１のネットワーク要素と第２のネットワーク要素との間、すなわち、ＣＵ１１０とＤＵ１２０との間の例示的機能分割を図示する。具体的には、図２は、ＣＵ１１０とＤＵ１２０との間の８つの可能な機能分割オプションを図示する。
【００２８】
オプション１（ＲＲＣ／ＰＤＣＰ分離）：このオプションの機能分離は、二重接続（ＤＣ）における１Ａ構造に類似する。ＲＲＣは、ＣＵ内に位置し、ＰＤＣＰ、ＲＬＣ、ＭＡＣ、ＰＨＹ、およびＲＦ機能は、ＤＵに位置する。すなわち、ＵＰ全体が、ＤＵに位置する。
【００２９】
オプション２（ＰＤＣＰ／ＲＬＣ分離）：このオプションの機能分離は、二重接続（ＤＣ）における３Ｃ構造に類似する。ＲＲＣおよびＰＤＣＰは、ＣＵ内に位置し、ＲＬＣ、ＭＡＣ、ＰＨＹ、およびＲＦ機能は、ＤＵに位置する。
【００３０】
オプション３（ＲＬＣ高レベル／低レベル分離）：低レベルＲＬＣ（ＲＬＣの部分的機能）、ＭＡＣ、ＰＨＹ、およびＲＦは、ＤＵ内に位置し、ＲＲＣ、ＰＤＣＰ、および高レベルＲＬＣ（ＲＬＣの部分的機能）機能は、ＣＵに位置する。
【００３１】
オプション４（ＲＬＣ−ＭＡＣ分離）：ＭＡＣ、ＰＨＹ、およびＲＦ部分は、ＤＵ内に位置し、ＰＤＣＰおよびＲＬＣ機能は、ＣＵに位置する。
【００３２】
オプション５（ＭＡＣ内部分離）：ＭＡＣ機能のうちのいくつか（ＨＡＲＱ等）、ＰＨＹ、およびＲＦは、ＤＵに位置し、他の上位レベル機能は、ＣＵに位置する。
【００３３】
オプション６（ＭＡＣ−ＰＨＹ）：ＰＨＹおよびＲＦ部分は、ＤＵに位置し、ＲＲＣ、ＰＤＣＰ、ＲＬＣ、およびＭＡＣ機能は、ＣＵに位置する。
【００３４】
オプション７（ＰＨＹ内部分離）：ＰＨＹ機能のうちのいくつかおよびＲＦは、ＤＵに位置し、他の上側機能は、ＣＵに位置する。
【００３５】
オプション８（ＰＨＹ−ＲＦ分離）：ＲＦ部分は、ＤＵ内に位置し、他の上位レベル機能は、ＣＵに位置する。
【００３６】
一実施形態では、ある規格が、ネットワーク機能をＣＵとＤＵとに分割するための２つ以上のオプションをサポートするとき、無線システムは、無線通信中、サポートされるオプション間で適応的に切り替えることができる。
【００３７】
図３は、本開示のいくつかの実施形態によるＤＵ１２０の例示的ブロック図を図示する。ＤＵ１２０は、本明細書に説明される種々の方法を実装するように構成され得るデバイスの例である。図３に示されるように、ＤＵ１２０は、システムクロック３０２と、プロセッサ３０４と、メモリ３０６と、送信機３１２および受信機３１４を備えている送受信機３１０と、電力モジュール３０８と、ステータスレポータ３２０と、構成生成器３２２とを含む筐体３４０を含む。
【００３８】
本実施形態では、システムクロック３０２は、ＤＵ１２０の全ての動作のタイミングを制御するために、タイミング信号をプロセッサ３０４に提供する。プロセッサ３０４は、ＤＵ１２０の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡＳ）、プログラマブル論理デバイス（ＰＬＤ）、コントローラ、状態機械、ゲート論理、離散ハードウェアコンポーネント、専用ハードウェア有限状態機械、またはデータの計算もしくは他の操作を実施し得る任意の他の好適な回路、デバイス、および／または構造の任意の組み合わせ等の１つ以上の処理回路またはモジュールを含むことができる。
【００３９】
読み取り専用メモリ（ＲＯＭ）およびランダムアクセスメモリ（ＲＡＭ）の両方を含み得るメモリ３０６は、命令およびデータをプロセッサ３０４に提供することができる。メモリ３０６の一部は、不揮発性ランダムアクセスメモリ（ＮＶＲＡＭ）も含むことができる。プロセッサ３０４は、典型的には、メモリ３０６内に記憶されるプログラム命令に基づいて、論理および算術演算を実施する。メモリ３０６内に記憶される命令（ソフトウェアとして知られる）は、プロセッサ３０４によって、本明細書に説明される方法を実施するために実行されることができる。プロセッサ３０４およびメモリ３０６は、ソフトウェアを記憶および実行する処理システムを一緒に形成する。本明細書で使用されるように、「ソフトウェア」は、ソフトウェア、ファームウェア、ミドルウェア、マイクロコード等と称されるかどうかにかかわらず、任意のタイプの命令を意味し、それは、１つ以上の所望の機能または処理を実施するための機械またはデバイスを構成することができる。命令は、コードを含むことができる（例えば、ソースコードフォーマット、バイナリコードフォーマット、実行可能コードフォーマット、またはコードの任意の他の好適なフォーマットにおいて）。命令は、１つ以上のプロセッサによって実行されると、処理システムに、本明細書に説明される種々の機能を実施させる。
【００４０】
送信機３１２および受信機３１４を含む送受信機３１０は、ＤＵ１２０が、データを遠隔デバイス（例えば、ＣＵ）に伝送し、それから受信することを可能にする。一実施形態では、アンテナ３５０が、筐体３４０に取り付けられ、送受信機３１０に電気的に結合され得る。種々の実施形態では、ＤＵ１２０は、複数の送信機、複数の受信機、複数の送受信機、および／または複数のアンテナを含む（図示せず）。送信機３１２は、異なるパケットタイプまたは機能を有するパケットを無線で伝送するように構成されることができ、そのようなパケットは、プロセッサ３０４によって生成される。同様に、受信機３１４は、異なるパケットタイプまたは機能を有するパケットを受信するように構成され、プロセッサ３０４は、複数の異なるパケットタイプのパケットを処理するように構成される。例えば、プロセッサ３０４は、パケットのタイプを決定し、適宜、パケットおよび／またはパケットのフィールドを処理するように構成されることができる。別の実施形態では、ＤＵ１２０は、送信機３１２および受信機３１４が、それぞれ、光ファイバを通して、信号を伝送および受信するように構成され得るように、光ファイバ通信を介して、ＣＵと通信し得る。
【００４１】
構成生成器３２２は、ＤＵ１２０に関連付けられた構成情報を含むメッセージを生成し得る。構成生成器３２２は、メッセージを送信機３１２に送信し、送信機３１２に、ＤＵに関連付けられたメッセージをＣＵ１１０に伝送するように命令し得、ＣＵ１１０とＤＵ１２０とは、協働して、基地局として、無線ネットワーク内の１つ以上のセルにサービス提供することができる。送信機３１２は、トランスポート層を通してメッセージをＣＵに伝送することができるが、ＤＵ１２０とＣＵ１１０とは、アプリケーションプロトコル（ＡＰ）メッセージを交換することによって、フロントホールインターフェース（本明細書では、Ｆ１インターフェースと称される）をアプリケーション層に確立する必要がある。したがって、ＤＵ１２０に関連付けられた構成情報を含むメッセージは、ＤＵ１２０がＤＵ１２０とＣＵ１１０との間のＦ１インターフェースの設定を要求するためのＦ１インターフェース設定要求メッセージとして使用されることができる。
【００４２】
一実施形態では、Ｆ１インターフェース設定要求メッセージ内の構成情報は、ＣＵ１１０がインターフェースを確立するために把握する必要があるＤＵ１２０の構成情報を含む。加えて、ＤＵ１２０とＣＵ１１０との間のインターフェースを確立するために、ＤＵ１２０も、ＣＵ１１０の構成情報を把握する必要がある。
【００４３】
受信機３１４は、Ｆ１インターフェース設定応答メッセージまたはＦ１インターフェース設定失敗メッセージのいずれかをＣＵ１１０から受信し得る。Ｆ１インターフェース設定応答メッセージは、ＣＵ１１０に関連付けられた構成情報を含む。Ｆ１インターフェース設定応答メッセージは、ＣＵ１１０が、ＤＵ１２０の構成情報を取得したこと、および、ＤＵ１２０とＣＵ１１０との間のＦ１インターフェースを確立することに合意することを示す。Ｆ１インターフェース設定応答メッセージを受信し、ＣＵ１１０に関連付けられた構成情報を取得した後、ＤＵ１２０は、ＣＵ１１０とのＦ１インターフェースを正常に確立する。一実施形態では、Ｆ１インターフェース設定応答メッセージを受信し、ＣＵ１１０に関連付けられた構成情報を取得した後、ＤＵ１２０は、確認メッセージをＣＵ１１０に送信し、Ｆ１インターフェースが確立されたことを確認し得る。
【００４４】
Ｆ１インターフェース設定失敗メッセージは、ＤＵ１２０とＣＵ１１０との間の構成情報の交換の失敗を示し、すなわち、ＤＵ１２０とＣＵ１１０との間のＦ１インターフェースの確立の失敗を示す。一実施形態では、Ｆ１インターフェース設定失敗メッセージは、失敗の理由を含む。Ｆ１インターフェース設定失敗メッセージをＣＵ１１０から受信した後、ＤＵ１２０は、ある期間にわたって待ち、次いで、Ｆ１インターフェース設定のために、Ｆ１インターフェース設定要求メッセージをＣＵ１１０に再送信し得る。
【００４５】
Ｆ１インターフェースが確立された後、ＣＵ１１０およびＤＵ１２０は、互いの交換された構成情報に基づいて、通信することができる。時々、ＣＵ１１０およびＤＵ１２０のうちの一方が、その構成情報を更新することを所望する、またはその必要があり得る。この場合、更新された構成情報は、更新された構成情報がＦ１インターフェース上で使用されることができる前、ＣＵ１１０とＤＵ１２０との間で交換され、合意されるべきである。
【００４６】
一実施形態では、構成生成器３２２は、ＤＵ１２０に関連付けられた更新された構成情報を含むＤＵ構成更新要求メッセージを生成するようにさらに構成される。構成生成器３２２は、ＤＵ構成更新要求メッセージを送信機３１２に送信し、送信機３１２に、メッセージをＣＵ１１０に伝送するように命令し得る。ＤＵ構成更新要求メッセージは、ＤＵ１２０とＣＵ１１０との間のＦ１インターフェース上で使用されるべきＤＵ構成の更新を要求するために使用されることができる。すなわち、ＤＵ１２０は、更新されたＤＵ構成をＤＵ１２０とＣＵ１１０との間のＦ１インターフェース上で使用すること、例えば、次の時間スロットまたは時間フレームから開始することを提案し、ＣＵ１１０が合意するかどうかを尋ねる。一実施形態では、ＤＵ構成更新要求メッセージは、修正されたＤＵ構成のみを含み、未修正ＤＵ構成を含まないこともある。
【００４７】
受信機３１４は、ＤＵ構成更新確認メッセージまたはＤＵ構成更新失敗メッセージのいずれかをＣＵ１１０から受信し得る。ＤＵ構成更新確認メッセージは、更新の確認を示し、すなわち、ＣＵ１１０が、更新されたＤＵ１２０の構成情報を取得したこと、更新されたＤＵ１２０の構成情報をＤＵ１２０とＣＵ１１０との間のＦ１インターフェース上で使用すること、例えば、提案されるタイミングポイントから開始することに合意することを示す。ＤＵ構成更新確認メッセージをＣＵ１１０から受信した後、ＤＵ１２０は、更新された構成を提案されるタイミングポイントから使用し始めることができる。
【００４８】
ＤＵ構成更新失敗メッセージは、更新の失敗を示し、例えば、ＣＵ１１０が、更新されたＤＵ１２０の構成情報を正常に取得しなかったこと、またはＣＵ１１０が、更新されたＤＵ１２０の構成情報をＤＵ１２０とＣＵ１１０との間のＦ１インターフェース上で提案されるタイミングポイントから使用することに合意しないことを示す。一実施形態では、ＤＵ構成更新失敗メッセージは、失敗の理由を含む。ＤＵ構成更新失敗メッセージをＣＵ１１０から受信した後、ＤＵ１２０は、ある期間にわたって待ち、次いで、ＤＵ構成を更新するために、ＤＵ構成更新要求メッセージをＣＵ１１０に再送信し得る。その一方で、ＤＵ１２０およびＣＵ１１０は、依然として、Ｆ１インターフェースを介した通信のために、ＤＵ構成が正常に更新されるまで、古いＤＵ構成を使用するであろう。
【００４９】
一実施形態では、受信機３１４は、ＣＵ１１０に関連付けられた更新された構成情報を含むＣＵ構成更新要求メッセージを受信し得る。ＣＵ構成更新要求メッセージは、ＣＵ１１０がＤＵ１２０とＣＵ１１０との間のＦ１インターフェース上で使用されるべきＣＵ構成の更新を要求するために使用される。すなわち、ＣＵ１１０は、更新されたＣＵ構成をＤＵ１２０とＣＵ１１０との間のＦ１インターフェース上で使用すること、例えば、次の時間スロットまたは時間フレームから開始することを提案し、ＤＵ１２０が合意するかどうか尋ねる。一実施形態では、ＣＵ構成更新要求メッセージは、修正されたＣＵ構成のみを含み、未修正ＣＵ構成を含まないこともある。
【００５０】
送信機３１２は、ＣＵ構成更新確認メッセージまたはＣＵ構成更新失敗メッセージのいずれかをＣＵ１１０に伝送し得る。ＣＵ構成更新確認メッセージは、更新の確認を示し、すなわち、ＤＵ１２０が、ＣＵ１１０の更新された構成情報を取得したこと、ＣＵ１１０の更新された構成情報をＤＵ１２０とＣＵ１１０との間のＦ１インターフェース上で使用すること、例えば、提案されるタイミングポイントから開始することに合意することを示す。ＣＵ１１０がＣＵ構成更新確認メッセージをＤＵ１２０から受信した後、ＤＵ１２０およびＣＵ１１０は、更新されたＣＵ構成を提案されるタイミングポイントから使用し始めることができる。
【００５１】
ＣＵ構成更新失敗メッセージは、更新の失敗を示し、例えば、ＤＵ１２０が、ＣＵ１１０の更新された構成情報を正常に取得しなかったこと、またはＤＵ１２０が、ＣＵ１１０の更新された構成情報をＤＵ１２０とＣＵ１１０との間のＦ１インターフェース上で提案されるタイミングポイントから使用することに合意しないことを示す。一実施形態では、ＣＵ構成更新失敗メッセージは、失敗の理由を含む。ＣＵ１１０がＣＵ構成更新失敗メッセージをＤＵ１２０から受信した後、ＣＵ１１０は、ある期間にわたって待ち、次いで、ＣＵ構成を更新するために、ＣＵ構成更新要求メッセージをＤＵ１２０に再送信し得る。その一方で、ＤＵ１２０およびＣＵ１１０は、依然として、Ｆ１インターフェースを介した通信のために、ＣＵ構成が正常に更新されるまで、古いＣＵ構成を使用するであろう。
【００５２】
ＣＵ−ＤＵ分離シナリオでは、１つのＣＵが、１つ以上のＤＵを管理する。したがって、ＣＵは、ＣＵに接続されるＤＵの負荷情報を取得する必要がある。負荷情報は、ＣＵ負荷バランシング、ユーザ承認、またはハンドオーバ決定等のＲＲＭアルゴリズムのために使用されることができる。したがって、ＣＵは、ＣＵに関連付けられた各ＤＵのリソースステータスを監視し、ＤＵは、周期的に、または要求に応じて、そのリソースステータスを関連付けられたＣＵに報告する。
【００５３】
一実施形態では、受信機３１４は、リソースステータス要求メッセージをＣＵ１１０から受信し得る。リソースステータス要求メッセージは、ＤＵ１２０に関連付けられた１つ以上のセルに関連するリソースステータス情報を要求するために、ＣＵ１１０によって送信される。ステータスレポータ３２０は、この例では、ＣＵ１１０によって要求されるリソースステータス情報の少なくとも一部を含むリソースステータス更新メッセージを生成することができる。ステータスレポータ３２０は、次いで、送信機３１２に、リソースステータス更新メッセージをＣＵ１１０に伝送するように命令し得る。
【００５４】
ＣＵ１１０は、ＤＵ１２０に関連付けられた複数のセル内の複数の測定オブジェクトのリソースステータスを要求し得る。ある状況では、ＤＵ１２０は、測定オブジェクトのうちのいくつかまたはセルのうちのいくつかにおける測定失敗に遭遇する。この状況では、送信機３１２は、ＣＵ１１０に、これらの測定オブジェクトまたはセルにおけるリソースステータス情報の測定失敗を示すリソースステータス応答メッセージを伝送し得る。リソースステータス応答メッセージは、失敗理由を含み得る。別の状況では、ＤＵ１２０は、全てのセルの測定オブジェクトの全てにおける測定失敗に遭遇する。この状況では、送信機３１２は、ＣＵ１１０に、全てのセルの全ての測定オブジェクトにおけるリソースステータス情報の測定失敗を示すリソースステータス失敗メッセージを伝送し得る。リソースステータス失敗メッセージは、失敗理由を含み得る。一実施形態では、リソースステータス応答メッセージおよびリソースステータス失敗メッセージは、ステータスレポータ３２０によって同様に生成され得る。
【００５５】
電力モジュール３０８は、１つ以上のバッテリ等の電源と、調整された電力を図３における上で説明されるモジュールの各々に提供するための電力調整器とを含むことができる。いくつかの実施形態では、ＤＵ１２０が、専用外部電源（例えば、壁電気コンセント）に結合される場合、電力モジュール３０８は、変圧器と、電力調整器とを含むことができる。
【００５６】
上で議論される種々のモジュールは、バスシステム３３０によって、一緒に結合される。バスシステム３３０は、データバスと、データバスに加え、例えば、電力バス、制御信号バス、および／またはステータス信号バスを含むことができる。ＤＵ１２０のモジュールは、任意の好適な技法および媒体を使用して、互いに動作可能に結合されることができることを理解されたい。
【００５７】
いくつかの別個のモジュールまたはコンポーネントが、図３に図示されるが、当業者は、モジュールのうちの１つ以上のものが、組み合わせられること、または共通に実装されることができることを理解するであろう。例えば、プロセッサ３０４は、プロセッサ３０４に関して上で説明される機能性を実装することができるだけではなく、ステータスレポータ３２０に関して上で説明される機能性も実装することができる。逆に言えば、図３に図示されるモジュールの各々は、複数の別個のコンポーネントまたは要素を使用して、実装されることができる。
【００５８】
図４は、本開示のいくつかの実施形態によるＤＵの例示的構成情報を図示する。図４に示されるように、例示的ＤＵ構成情報４００は、ＤＵ識別情報４１０と、ＤＵによってサポートされる公衆移動通信網（ＰＬＭＮ）または追跡エリア識別（ＴＡＩ）のリスト４２０と、ＤＵ能力情報４３０と、ＤＵに関連付けられた１つ以上のセルの容量クレジット情報４４０またはＤＵの容量クレジット情報と、ＤＵタイプ４５０と、各ＰＬＭＮまたは各ＴＡＩあたりＤＵによってサポートされるネットワークスライスについてのネットワークスライス情報４６０とを含む。
【００５９】
一実施形態では、ＤＵ識別情報４１０は、ＣＵが、接続されるＤＵを識別および管理するために使用されることができ、ＩＤフラグまたはＣＵとＤＵとの間の伝送チャネル等の他のＩＤ情報によって搬送され得る。加えて、ＤＵ関連動作および管理情報が、収集および報告され得る。例えば、アラーム情報およびＫＰＩ（重要性能インジケータ）情報が、ＯＡＭ（動作および管理）にＤＵごとに報告されることができる。
【００６０】
一実施形態では、ＤＵ容量情報４３０は、ＤＵプロトコルバージョン、ＤＵによって確立およびサポートされ得る最大数のセル（セル容量に関連する）、ＤＵによってサポートされる帯域および帯域幅、アンテナの数（アップリンクおよびダウンリンク）、最大ダウンリンク伝送電力等を含む。
【００６１】
一実施形態では、ＤＵのＣＥトラフィック（容量クレジット）４４０は、ＤＵ下の単一セルまたは複数のセルに対応するアップリンクおよびダウンリンク容量クレジットを含む。ＤＵタイプ４５０は、Ｅ−ＵＴＲＡ（進化型ユニバーサル地上無線アクセス）またはＮＲ（新しい無線）等のＤＵがサポートするエアインターフェースのタイプを示し得る。
【００６２】
Ｆ１インターフェース設定中、ＤＵの構成情報は、図４にリストアップされたＤＵ構成情報のうちの１つ以上のものを含み得ることを理解されたい。
【００６３】
ＤＵ構成更新要求メッセージが修正されたＤＵ構成のみを含み、未修正ＤＵ構成を含まないこともあることも理解され得る。例えば、ＤＵが能力情報４３０を修正するとき、ＤＵは、図４にリストアップされた他の未修正構成情報を送信せず、修正された能力情報をＤＵ構成更新要求メッセージ内でＣＵに送信し得る。
【００６４】
ＤＵ構成更新要求メッセージがＦ１インターフェース設定要求メッセージと同一タイプの情報を含み得るが、ＣＵが２つのメッセージによって搬送されるメッセージタイプ情報に基づいて２つのメッセージを区別することができることも理解され得る。
【００６５】
図５は、本開示のいくつかの実施形態によるＣＵの例示的構成情報を図示する。図５に示されるように、例示的ＣＵ構成情報５００は、ＣＵ識別情報５１０と、ＣＵによってサポートされる公衆移動通信網（ＰＬＭＮ）または追跡エリア識別（ＴＡＩ）のリスト５２０と、各ＰＬＭＮまたは各ＴＡＩあたりＣＵによってサポートされるネットワークスライスについてのネットワークスライス情報５３０と、ＣＵが属するプールについてのＣＵプール情報５４０とを含む。
【００６６】
一実施形態では、ＣＵ識別情報５１０は、ＣＵを識別するための一意の識別子であり、それは、グローバル５Ｇ基地局ＩＤに相当することができるか、または、それは、独立ＩＤであることができる。
【００６７】
一実施形態では、システムが、ＣＵプールをサポートする場合、Ｆ１インターフェース設定応答メッセージは、ＣＵグループＩＤ、対応するＰＬＭＮ  ＩＤ、および対応するＣＵ  ＩＤ情報等のＣＵプール情報を含み得る。随意に、ＣＵプール情報は、プールにおけるＣＵの相対的容量情報を含む。
【００６８】
Ｆ１インターフェース設定中、ＣＵの構成情報は、図５にリストアップされたＣＵ構成情報のうちの１つ以上のものを含み得ることを理解されたい。
【００６９】
ＣＵ構成更新要求メッセージが修正されたＣＵ構成のみを含み、未修正ＣＵ構成を含まないこともあることも理解され得る。例えば、ＣＵが、ネットワークスライス情報５３０を修正するとき、ＣＵは、図５にリストアップされた他の未修正構成情報を送信せず、修正されたネットワークスライス情報をＣＵ構成更新要求メッセージ内でＤＵに送信し得る。
【００７０】
ＣＵ構成更新要求メッセージがＦ１インターフェース設定応答メッセージと同一タイプの情報を含み得るが、ＤＵは、２つのメッセージによって搬送されるメッセージタイプ情報に基づいて２つのメッセージを区別することができることも理解され得る。
【００７１】
図６は、本開示のいくつかの実施形態によるＤＵによって報告される例示的リソースステータス情報６００を図示する。図６に示されるように、例示的リソースステータス情報６００は、リソースステータス情報に関連する各セルのグローバルセルＩＤ６１０と、１つ以上のセルのセル内のハードウェア負荷情報６２０と、１つ以上のセルによって経験されるＦ１インターフェーストランスポートネットワーク負荷のステータス６３０と、セルごとの無線リソース使用量６４０と、ダウンリンクおよびアップリンクにおける１つ以上のセルにおける全体的利用可能リソースレベルと、１つ以上のセルの各々におけるアイドル状態にある第１の現在のユーザの数６６０と、１つ以上のセルの各々における接続状態にある第２の現在のユーザの数６７０とを含む。一実施形態では、無線リソース使用量６４０は、保証ビットレート（ＧＢＲ）サービスにおける物理リソースブロック（ＰＲＢ）使用量、非ＧＢＲサービスにおけるＰＢＲ使用量、および総ＰＲＢ使用量のうちの少なくとも１つを含む。
【００７２】
図７は、本開示のいくつかの実施形態によるＣＵ１１０の例示的ブロック図を図示する。ＣＵ１１０は、本明細書に説明される種々の方法を実装するように構成され得るデバイスの例である。図７に示されるように、ＣＵ１１０は、システムクロック７０２と、プロセッサ７０４と、メモリ７０６と、送信機７１２および受信機７１４を備えている送受信機７１０と、電力モジュール７０８と、ステータスモニタ７２０と、構成生成器７２２とを含む筐体７４０を含む。
【００７３】
本実施形態では、システムクロック７０２、プロセッサ７０４、メモリ７０６、送受信機７１０および電力モジュール７０８は、ＤＵ１２０内のシステムクロック３０２、プロセッサ３０４、メモリ３０６、送受信機３１０、および電力モジュール３０８と同様に機能する。
【００７４】
一実施形態では、アンテナ７５０は、筐体７４０に取り付けられ、送受信機７１０に電気的に結合され得る。種々の実施形態では、ＣＵ１１０は、複数の送信機、複数の受信機、複数の送受信機、および／または複数のアンテナを含む（図示せず）。別の実施形態では、ＣＵ１１０は、送信機７１２および受信機７１４が、それぞれ、光ファイバを通して、信号を伝送および受信するように構成され得るように、光ファイバ通信を介してＣＵに接続された１つ以上のＤＵと通信し得る。
【００７５】
一実施形態では、受信機７１４は、ＤＵ１２０に関連付けられた構成情報を含むメッセージを受信し得る。一実施形態では、メッセージは、ＤＵ１２０がＤＵ１２０とＣＵ１１０との間のＦ１インターフェースの設定を要求するためのＦ１インターフェース設定要求メッセージである。加えて、ＤＵ１２０とＣＵ１１０との間のインターフェースを確立するために、ＤＵ１２０は、ＣＵ１１０の構成情報を把握する必要もある。
【００７６】
Ｆ１インターフェース設定要求メッセージを受信した後、構成生成器７２２は、Ｆ１インターフェース設定応答メッセージまたはＦ１インターフェース設定失敗メッセージのいずれかを生成し、送信機７１２に、生成されたメッセージをＤＵ１２０に伝送するように命令し得る。Ｆ１インターフェース設定応答メッセージは、ＣＵ１１０に関連付けられた構成情報を含む。Ｆ１インターフェース設定応答メッセージは、ＣＵ１１０がＤＵ１２０の構成情報を取得したこと、ＤＵ１２０とＣＵ１１０との間のＦ１インターフェースを確立することに合意することを示す。
【００７７】
Ｆ１インターフェース設定失敗メッセージは、ＤＵ１２０とＣＵ１１０との間の構成情報の交換の失敗を示し、すなわち、ＤＵ１２０とＣＵ１１０との間のＦ１インターフェースの確立の失敗を示す。一実施形態では、Ｆ１インターフェース設定失敗メッセージは、失敗の理由を含む。
【００７８】
Ｆ１インターフェースが確立された後、ＣＵ１１０およびＤＵ１２０は、互いの交換された構成情報に基づいて、通信することができる。時々、ＣＵ１１０およびＤＵ１２０のうちの一方が、その構成情報を更新することを所望するか、またはその必要があり得る。この場合、更新された構成情報がＦ１インターフェース上で使用され得る前、更新された構成情報は、ＣＵ１１０とＤＵ１２０との間で交換および合意されるべきである。
【００７９】
一実施形態では、構成生成器７２２は、ＣＵ１１０に関連付けられた更新された構成情報を含むＣＵ構成更新要求メッセージを生成するようにさらに構成される。構成生成器７２２は、ＣＵ構成更新要求メッセージを送信機７１２に送信し、送信機７１２に、メッセージをＤＵ１２０に伝送するように命令し得る。ＣＵ構成更新要求メッセージは、ＤＵ１２０とＣＵ１１０との間のＦ１インターフェース上で使用されるべきＣＵ構成の更新を要求するために使用されることができる。すなわち、ＣＵ１１０は、更新されたＣＵ構成をＤＵ１２０とＣＵ１１０との間のＦ１インターフェース上で使用すること、例えば、次の時間スロットまたは時間フレームから開始することを提案し、ＤＵ１２０が合意するかどうか尋ねる。一実施形態では、ＣＵ構成更新要求メッセージは、修正されたＣＵ構成情報のみを含み、未修正ＣＵ構成情報を含まないこともある。
【００８０】
受信機７１４は、ＣＵ構成更新確認メッセージまたはＣＵ構成更新失敗メッセージのいずれかをＤＵ１２０から受信し得る。ＣＵ構成更新確認メッセージは、更新の確認を示し、すなわち、ＤＵ１２０が、ＣＵ１１０の更新された構成情報を取得したこと、ＣＵ１１０の更新された構成情報をＤＵ１２０とＣＵ１１０との間のＦ１インターフェース上で使用すること、例えば、提案されるタイミングポイントから開始することに合意することを示す。ＣＵ構成更新確認メッセージをＤＵ１２０から受信した後、ＣＵ１１０は、更新された構成を提案されるタイミングポイントから使用し始めることができる。
【００８１】
ＣＵ構成更新失敗メッセージは、更新の失敗を示し、例えば、ＤＵ１２０が、ＣＵ１１０の更新された構成情報を正常に取得しなかったこと、またはＤＵ１２０が、ＣＵ１１０の更新された構成情報をＤＵ１２０とＣＵ１１０との間のＦ１インターフェース上で提案されるタイミングポイントから使用することに合意しないことを示す。一実施形態では、ＣＵ構成更新失敗メッセージは、失敗の理由を含む。ＣＵ構成更新失敗メッセージをＤＵ１２０から受信した後、ＣＵ１１０は、ある期間にわたって待ち、次いで、ＣＵ構成を更新するために、ＣＵ構成更新要求メッセージをＤＵ１２０に再送信し得る。その一方で、ＤＵ１２０およびＣＵ１１０は、依然として、Ｆ１インターフェースを介した通信のために、ＣＵ構成が正常に更新されるまで、古いＣＵ構成を使用するであろう。
【００８２】
一実施形態では、受信機７１４は、ＤＵ１２０に関連付けられた更新された構成情報を含むＤＵ構成更新要求メッセージを受信し得る。ＤＵ構成更新要求メッセージは、ＤＵ１２０がＤＵ１２０とＣＵ１１０との間のＦ１インターフェース上で使用されるべきＤＵ構成の更新を要求するために使用される。すなわち、ＤＵ１２０は、更新されたＤＵ構成をＤＵ１２０とＣＵ１１０との間のＦ１インターフェース上で使用すること、例えば、次の時間スロットまたは時間フレームから開始することを提案し、ＣＵ１１０が合意するかどうかを尋ねる。一実施形態では、ＤＵ構成更新要求メッセージは、修正されたＤＵ構成のみを含み、未修正ＤＵ構成を含まないこともある。
【００８３】
送信機７１２は、ＤＵ構成更新確認メッセージまたはＤＵ構成更新失敗メッセージのいずれかをＤＵ１２０に伝送し得る。ＤＵ構成更新確認メッセージは、更新の確認を示し、すなわち、ＣＵ１１０が、更新されたＤＵ１２０の構成情報を取得したこと、更新されたＤＵ１２０の構成情報をＤＵ１２０とＣＵ１１０との間のＦ１インターフェース上で使用すること、例えば、提案されるタイミングポイントから開始することに合意することを示す。ＤＵ１２０が、ＤＵ構成更新確認メッセージをＣＵ１１０から受信した後、ＤＵ１２０およびＣＵ１１０は、更新されたＤＵ構成を提案されるタイミングポイントから使用し始めることができる。
【００８４】
ＤＵ構成更新失敗メッセージは、更新の失敗を示し、例えば、ＣＵ１１０が、更新されたＤＵ１２０の構成情報を正常に取得しなかったこと、またはＣＵ１１０が、更新されたＤＵ１２０の構成情報をＤＵ１２０とＣＵ１１０との間のＦ１インターフェース上で提案されるタイミングポイントから使用することに合意しないことを示す。一実施形態では、ＤＵ構成更新失敗メッセージは、失敗の理由を含む。ＤＵ１２０が、ＤＵ構成更新失敗メッセージをＣＵ１１０から受信した後、ＤＵ１２０は、ある期間にわたって待ち、次いで、ＤＵ構成を更新するために、ＤＵ構成更新要求メッセージをＣＵ１１０に再送信し得る。その一方で、ＤＵ１２０およびＣＵ１１０は、依然として、Ｆ１インターフェースを介した通信のために、ＤＵ構成が正常に更新されるまで、古いＤＵ構成を使用するであろう。
【００８５】
ＣＵ−ＤＵ分離シナリオでは、１つのＣＵが、１つ以上のＤＵを管理する。したがって、ＣＵは、ＣＵに接続されるＤＵの負荷情報を取得する必要がある。負荷情報は、ＣＵ負荷バランシング、ユーザ承認、またはハンドオーバ決定等のＲＲＭアルゴリズムのために使用されることができる。したがって、ＣＵは、ＣＵに関連付けられた各ＤＵのリソースステータスを監視し、ＤＵは、周期的に、または要求に応じて、そのリソースステータスを関連付けられたＣＵに報告する。
【００８６】
一実施形態では、ステータスモニタ７２０は、ＤＵ１２０に関連付けられた１つ以上のセルに関連するリソースステータス情報を要求するために、リソースステータス要求メッセージを生成し得る。ステータスモニタ７２０は、送信機７１２に、リソースステータス要求メッセージをＤＵ１２０に伝送するように命令し得る。
【００８７】
受信機７１４は、この例では、リソースステータス更新メッセージをＤＵ１２０から受信することができる。リソースステータス更新メッセージは、ＣＵ１１０によって要求されるリソースステータス情報の少なくとも一部を含む。
【００８８】
ＣＵ１１０は、ＤＵ１２０に関連付けられた複数のセル内の複数の測定オブジェクトのリソースステータスを要求し得る。ある状況では、ＤＵ１２０は、測定オブジェクトのうちのいくつかまたはセルのうちのいくつかにおける測定失敗に遭遇する。この状況では、受信機７１４は、ＤＵ１２０から、これらの測定オブジェクトまたはセルにおけるリソースステータス情報の測定失敗を示すリソースステータス応答メッセージを受信し得る。リソースステータス応答メッセージは、失敗理由を含み得る。別の状況では、ＤＵ１２０は、全てのセルの測定オブジェクトの全てにおける測定失敗に遭遇する。この状況では、受信機７１４は、ＤＵ１２０から、全てのセルの全ての測定オブジェクトにおけるリソースステータス情報の測定失敗を示すリソースステータス失敗メッセージを受信し得る。リソースステータス失敗メッセージは、失敗理由を含み得る。一実施形態では、受信機７１４は、ステータスモニタ７２０がＤＵ１２０に関連するリソースステータスを監視し続け得るように、リソースステータス応答メッセージおよびリソースステータス失敗メッセージをステータスモニタ７２０に転送し得る。
【００８９】
上で議論される種々のモジュールは、バスシステム７３０によって、一緒に結合される。バスシステム７３０は、データバスと、バスデータバスに加え、例えば、電力バス、制御信号バス、および／またはステータス信号を含むことができる。ＣＵ１１０のモジュールは、任意の好適な技法および媒体を使用して、互いに動作可能に結合されることができることを理解されたい。
【００９０】
いくつかの別個のモジュールまたはコンポーネントが、図７に図示されるが、当業者は、モジュールのうちの１つ以上のものが、組み合わせられること、または共通に実装されることができることを理解するであろう。例えば、プロセッサ７０４は、プロセッサ７０４に関して上で説明される機能性を実装することができるだけではなく、ステータスモニタ７２０に関して上で説明される機能性を実装することもできる。逆に言えば、図７に図示されるモジュールの各々は、複数の別個のコンポーネントまたは要素を使用して、実装されることができる。
【００９１】
図８は、本開示のいくつかの実施形態によるＤＵとＣＵとの間のインターフェース設定のための例示的方法を図示する。一実施形態では、ＣＵ８１０は、図３に示されるような構造を有し得、ＤＵ８２０は、図７に示されるような構造を有し得る。図８に示されるように、ステップ８３２では、ＤＵ８２０は、ＣＵ８１０とのＦ１インターフェースを確立するために、Ｆ１インターフェース設定要求メッセージをＣＵ８１０に送信する。ＣＵ８１０は、ステップ８３４において、Ｆ１インターフェース設定応答メッセージを送信するか、ステップ８３６において、Ｆ１インターフェース設定失敗メッセージを送信するかのいずれかであり得る。Ｆ１インターフェース設定応答メッセージは、ＣＵ８１０に関連付けられた構成情報を含み、ＣＵ８１０が、ＤＵ８２０の構成情報を取得したこと、ＤＵ８２０とＣＵ８１０との間のＦ１インターフェースを確立することに合意することを示す。Ｆ１インターフェース設定失敗メッセージは、ＤＵ８２０とＣＵ８１０との間の構成情報の交換の失敗を示す、すなわち、ＤＵ８２０とＣＵ８１０との間のＦ１インターフェースの確立の失敗を示す。一実施形態では、Ｆ１インターフェース設定失敗メッセージは、（ａ）グローバル５Ｇ基地局ＩＤに相当し得るＣＵを識別するための一意の識別子であるか、または、それは、独立ＩＤであることができるＣＵ  ＩＤと、（ｂ）失敗の原因とを含む。
【００９２】
典型的には、インターフェース設定要求は、下位層ノードから上位層ノード、例えば、ここでは、ＤＵからＣＵに送信されるが、開示される方法およびシステムは、インターフェース設定要求が、上位層ノードから下位層ノード、例えば、ＣＵからＤＵに送信される状況にも同様に適用可能であることを理解されたい。
【００９３】
図９は、本開示のいくつかの実施形態によるＣＵとＤＵとの間のＤＵ構成を更新するための例示的方法を図示する。一実施形態では、ＣＵ９１０は、図３に示されるような構造を有し得、ＤＵ９２０は、図７に示されるような構造を有し得る。図９に示されるように、ステップ９３２では、ＤＵ９２０は、更新されたＤＵ構成をＣＵ９１０と確立されたＦ１インターフェース上で使用することを要求するために、ＤＵ構成更新要求メッセージをＣＵ９１０に送信する。ＤＵ構成更新要求メッセージは、Ｆ１インターフェース設定要求メッセージ内で以前に搬送された情報の中で更新されたものを含む。ＣＵ９１０は、ステップ９３４において、ＤＵ構成更新確認メッセージを送信するか、またはステップ９３６において、ＤＵ構成更新失敗メッセージを送信するかのいずれかであり得る。ＤＵ構成更新確認メッセージは、更新の確認を示し、すなわち、ＣＵ９１０が、ＤＵ９２０の更新された構成情報を取得したこと、ＤＵ９２０の更新された構成情報をＤＵ９２０とＣＵ９１０との間のＦ１インターフェース上に使用すること、例えば、提案されるタイミングポイントから開始することに合意することを示す。ＤＵ構成更新失敗メッセージは、更新の失敗を示し、例えば、ＣＵ９１０が、ＤＵ９２０の更新された構成情報を正常に取得しなかったこと、またはＣＵ９１０が、ＤＵ９２０の更新された構成情報をＤＵ９２０とＣＵ９１０との間のＦ１インターフェース上で提案されるタイミングポイントから使用することに合意しないことを示す。一実施形態では、ＤＵ構成更新失敗メッセージは、失敗の理由を含む。
【００９４】
図１０は、本開示のいくつかの実施形態によるＣＵとＤＵとの間のＣＵ構成を更新するための例示的方法を図示する。一実施形態では、ＣＵ１０１０は、図３に示されるような構造を有し得、ＤＵ１０２０は、図７に示されるような構造を有し得る。図１０に示されるように、ステップ１０３２では、ＣＵ１０１０は、更新されたＣＵ構成をＤＵ１０２０と確立されたＦ１インターフェース上で使用することを要求するために、ＣＵ構成更新要求メッセージをＤＵ１０２０に送信する。ＣＵ構成更新要求メッセージは、Ｆ１インターフェース設定応答メッセージ内で以前に搬送された情報の中で更新されたものを含む。ＤＵ１０２０は、ステップ１０３４において、ＣＵ構成更新確認メッセージを送信するか、またはステップ１０３６において、ＣＵ構成更新失敗メッセージを送信するかのいずれかであり得る。ＣＵ構成更新確認メッセージは、更新の確認を示し、すなわち、ＤＵ１０２０が、ＣＵ１０１０の更新された構成情報を取得したこと、ＣＵ１０１０の更新された構成情報をＣＵ１０１０とＤＵ１０２０との間のＦ１インターフェース上で使用すること、例えば、提案されるタイミングポイントから開始することに合意することを示す。ＣＵ構成更新失敗メッセージは、更新の失敗を示し、例えば、ＤＵ１０２０が、ＣＵ１０１０の更新された構成情報を正常に取得しなかったこと、またはＤＵ１０２０が、ＣＵ１０１０の更新された構成情報をＣＵ１０１０とＤＵ１０２０との間のＦ１インターフェース上で提案されるタイミングポイントから使用することに合意しないことを示す。一実施形態では、ＣＵ構成更新失敗メッセージは、失敗の理由を含む。
【００９５】
図１１は、本開示のいくつかの実施形態によるＤＵリソースステータスを報告および監視するための例示的方法を図示する。一実施形態では、ＣＵ１１１０は、図３に示されるような構造を有し得、ＤＵ１１２０は、図７に示されるような構造を有し得る。図１１に示されるように、ステップ１１３２では、ＣＵ１１１０は、ＤＵ１１２０のもとで更新されたリソースステータスを要求するために、リソースステータス要求メッセージをＤＵ１１２０に送信する。ＤＵ１１２０は、随意に、ステップ１１３４において、リソースステータス応答メッセージをＣＵ１１１０に送信するか、またはステップ１１３６において、リソースステータス失敗メッセージをＣＵ１１１０に送信するかのいずれかであり得る。リソースステータス応答メッセージは、いくつかの測定オブジェクトまたはセルにおけるリソースステータス情報の測定失敗を示す。リソースステータス応答メッセージは、要求されるセルリソースの失敗した部分に対する測定失敗情報を含み得る。リソースステータス失敗メッセージは、全てのセルの全ての測定オブジェクトにおけるリソースステータス情報の測定失敗を示す。リソースステータス失敗メッセージは、全ての要求されるセルリソースに対する測定失敗情報を含み得る。リソースステータス要求メッセージ内の要求タイプ、セルリスト情報、リソース報告測定オブジェクト、およびリソース報告測定構成に基づいて、ＤＵ１１２０は、リソースステータス更新メッセージを介して、ＤＵ１１２０下の１つ以上のセルの要求されるリソースステータス情報の少なくとも一部をＣＵ１１１０にフィードバックとして送信する。図１１に示されるように、測定失敗を伴わずに、いくつかの更新されたリソースステータスが存在する場合、ＤＵ１１２０は、ステップ１１３８において、リソースステータス更新メッセージをＣＵ１１１０に送信する。リソースステータス更新メッセージは、ＣＵ１１１０によって要求されるリソースステータス情報の少なくとも一部を含む。
【００９６】
加えて、進化型ＬＴＥ基地局のＣＵ−ＤＵ分離のために、すなわち、進化型パケットコア（ＥＰＣ）と次世代コア（ＮＧＣ）とへの同時接続をサポートするために、測定オブジェクトのタイプを区別する必要がある。この場合、２つのタイプの報告される負荷情報、すなわち、ＬＴＥの負荷情報と、ＮＲの負荷情報とが存在する。
【００９７】
さらに、複数の共有ＰＬＭＮのシナリオでは、ＣＵは、測定要求が発行されるとき、異なるＰＬＭＮに従って、測定構成を送信することを考え得る。代替として、ＤＵは、異なるＰＬＭＮに従って、リソースのステータスを報告することができる。
【００９８】
さらに、ネットワークスライシングのシナリオでは、ＣＵは、異なるネットワークスライス選択補助情報（ＮＳＳＡＩ）要件に従って、対応する負荷情報を報告することもできる。
【００９９】
さらに、ＣＵ−ＤＵ分離シナリオでは、無線システムは、ＣＥ（容量クレジット）を利用して、ＤＵ下の１つ以上のセルのリソース使用量報告を実現することができる。これは、ＤＵ下の１つ以上のセルにおける現在のアップリンク／ダウンリンク容量クレジットの情報報告を含み、それは、ＤＵによって、周期的に報告されるか、またはＣＵ要求に基づいて、リアルタイムで報告されることができる。容量クレジット情報は、新しいコールが着信するとき、ＣＵが、ＤＵに関するリソース構成および利用ステータスを学習することに役立ち得る。
【０１００】
本開示の種々の実施形態が、上で説明されたが、それらは、限定としてではなく、例としてのみ提示されたことを理解されたい。同様に、種々の略図は、例示的アーキテクチャまたは構成を描写し得、それらは、当業者が、本開示の例示的特徴および機能を理解することを可能にするために提供される。しかしながら、そのような当業者は、本開示は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上で説明される例示的実施形態のいずれかによって限定されるべきではない。
【０１０１】
「第１」、「第２」等の指定を使用した本明細書における要素の任意の参照が、概して、それらの要素量または順序を限定するものではないことも理解されたい。むしろ、これらの指定は、本明細書では、２つ以上の要素もしくは要素のインスタンス間で区別する便宜的手段として使用されることができる。したがって、第１および第２の要素の参照は、２つのみの要素が採用され得ること、または第１の要素がある様式において、第２の要素に先行しなければならないことを意味するものではない。
【０１０２】
加えて、当業者は、情報および信号が種々の異なる技術および技法のいずれかを使用して表されることができることを理解するであろう。上記説明において参照され得る、例えば、データ、命令、コマンド、情報、信号、ビット、およびシンボルは、例えば、電圧、電流、電磁波、磁場または粒子、光場または粒子、もしくは任意のそれらの組み合わせによって表されることができる。
【０１０３】
当業者は、本明細書に開示される側面に関連して説明される種々の例証的論理ブロック、モジュール、プロセッサ、手段、回路、方法、および機能の任意のものが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、もしくはこれらの技法の任意の組み合わせによって実装されることができることをさらに理解するであろう。
【０１０４】
ハードウェア、ファームウェア、およびソフトウェアのこの互換性を明確に図示するために、種々の例証的コンポーネント、ブロック、モジュール、回路、およびステップは、概して、その機能性の観点から上で説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を各特定の用途のために種々の方法で実装することができるが、そのような実装決定は、本開示の範囲からの逸脱を生じさせるものではない。種々の実施形態によると、プロセッサ、デバイス、コンポーネント、回路、構造、機械、モジュール等は、本明細書に説明される機能の１つ以上のものを実施するように構成されることができる。規定された動作または機能に関する、用語「〜ように構成される（ｃｏｎｆｉｇｕｒｅｄ  ｔｏ）」または「〜のために構成される（ｃｏｎｆｉｇｕｒｅｄ  ｆｏｒ）」は、本明細書で使用されるように、規定された動作または機能を実施するように物理に構築される、プログラムされる、および／または配列されたプロセッサ、デバイス、コンポーネント、回路、構造、機械、モジュール等を指す。
【０１０５】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくは任意のそれらの組み合わせを含み得る集積回路（ＩＣ）内に実装される、またはそれによって実施されることができることを理解するであろう。論理ブロック、モジュール、および回路は、アンテナおよび／または送受信機をさらに含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサは、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとしても実装されることができる。
【０１０６】
ソフトウェア内に実装される場合、機能は、１つ以上の命令またはコードとして、コンピュータ読み取り可能な媒体上に記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータ記憶媒体および通信媒体の両方を含み、コンピュータプログラムまたはコードを１つの場所から別の場所に転送することを可能にされ得る任意の媒体を含む。記憶媒体は、コンピュータによってアクセスされ得る任意の利用可能な媒体であることができる。限定ではなく、一例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは所望のプログラムコードを命令またはデータ構造の形態で記憶するために使用され得、かつコンピュータによってアクセスされ得る任意の他の媒体を含むことができる。
【０１０７】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白であろうように、２つ以上のモジュールが、組み合わせられ、本開示の実施形態に従って関連付けられた機能を実施する、単一モジュールを形成し得る。
【０１０８】
加えて、メモリまたは他の記憶装置および通信コンポーネントが、本開示の実施形態において採用され得る。明確にする目的のために、上記説明は、異なる機能ユニットおよびプロセッサを参照して本開示の実施形態を説明していることを理解されたい。しかしながら、異なる機能ユニット、処理論理要素、またはドメイン間の機能性の任意の好適な分配が、本開示から逸脱することなく使用され得ることが明白であろう。例えば、別個の処理論理要素またはコントローラによって実施されるように例証される機能性は、同一処理論理要素またはコントローラによって実施され得る。故に、具体的機能ユニットの参照は、厳密な論理または物理構造もしくは編成を示すのではなく、説明される機能性を提供するための好適な手段の参照にすぎない。
【０１０９】
本開示に説明される実装の種々の修正が、当業者に容易に明白であり、本明細書に定義された一般的原理は、本開示の範囲から逸脱することなく、他の実装に適用されることができる。したがって、本開示は、本明細書に示される実装に限定されることを意図するものではなく、下記請求項において制限されるように、本明細書に開示される新規特徴および原理と一致する最広範囲と見なされる。
【図１】
2020523808.tif 000003
【図２】
2020523808.tif 000004
【図３】
2020523808.tif 000005
【図４】
2020523808.tif 000006
【図５】
2020523808.tif 000007
【図６】
2020523808.tif 000008
【図７】
2020523808.tif 000009
【図８】
2020523808.tif 000010
【図９】
2020523808.tif 000011
【図１０】
2020523808.tif 000012
【図１１】
2020523808.tif 000013
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
第１のノード上に実装される方法であって、前記方法は、
前記第１のノードに関連付けられた第１の構成情報を含む第１のメッセージを生成することと、
構成情報を第２のノードと交換するために、前記第１のメッセージを前記第２のノードに伝送することと
を含み、
前記第１のノードおよび前記第２のノードは、基地局として、無線ネットワーク内の少なくとも１つのセルに協働してサービス提供し、
前記第１の構成情報は、
前記第２のノードが前記第１のノードを識別するための前記第１のノードの識別情報と、
前記第１のノードによってサポートされる公衆移動通信網または追跡エリア識別のリストと、
前記第１のノードのプロトコルバージョンと、
各追跡エリア識別ごとの前記第１のノードによってサポートされるネットワークスライスについての情報と
のうちの少なくとも１つを含む、方法。
【請求項２】
前記第１のノードは、前記基地局の分散型ユニットであり、前記第２のノードは、前記基地局の集中型ユニットである、請求項１に記載の方法。
【請求項３】
前記第１のノードに関連付けられた更新された構成情報を含む更新要求メッセージを生成することと、
前記第１のノードに関連付けられた前記第１の構成情報を更新するために、前記更新要求メッセージを前記第２のノードに伝送することと、
第２のメッセージまたは第３のメッセージを前記第２のノードから受信することであって、
前記第２のメッセージは、前記更新の確認を示し、
前記第３のメッセージは、前記更新の失敗を示す、
ことと
をさらに含む、請求項１に記載の方法。
【請求項４】
第２のメッセージまたは第３のメッセージを前記第２のノードから受信することをさらに含み、
前記第２のメッセージは、前記第２のノードに関連付けられた第２の構成情報を含み、
前記第２の構成情報は、前記第２のノードによってサポートされる公衆移動通信網のリストを含み、
前記第３のメッセージは、前記構成情報の交換の失敗を示す、請求項１に記載の方法。
【請求項５】
第１のノード上に実装される方法であって、前記方法は、
構成情報を第２のノードと交換するための第１のメッセージを前記第２のノードから受信することを含み、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供し、
前記第１の構成情報は、
前記第１のノードが前記第２のノードを識別するための前記第２のノードの識別情報と、
前記第２のノードによってサポートされる公衆移動通信網または追跡エリア識別のリストと、
前記第２のノードのプロトコルバージョンと、
各追跡エリア識別ごとの前記第２のノードによってサポートされるネットワークスライスについての情報と
のうちの少なくとも１つを含む、方法。
【請求項６】
前記第１のノードは、前記基地局の集中型ユニットであり、
前記第２のノードは、前記基地局の分散型ユニットである、請求項５に記載の方法。
【請求項７】
前記第２のノードに関連付けられた前記第１の構成情報を更新するための更新要求メッセージを前記第２のノードから受信することであって、前記更新要求メッセージは、前記第２のノードに関連付けられた更新された構成情報を含む、ことと、
第２のメッセージまたは第３のメッセージを前記第２のノードに伝送することであって、
前記第２のメッセージは、前記更新の確認を示し、
前記第３のメッセージは、前記更新の失敗を示す、
ことと
をさらに含む、請求項５に記載の方法。
【請求項８】
第２のメッセージまたは第３のメッセージを前記第２のノードに伝送することをさらに含み、
前記第２のメッセージは、前記第１のノードに関連付けられた第２の構成情報を含み、
前記第２の構成情報は、前記第１のノードによってサポートされる公衆移動通信網のリストを含み、
前記第３のメッセージは、前記構成情報の交換の失敗を示す、請求項５に記載の方法。
【請求項９】
第１のノードであって、前記第１のノードは、
前記第１のノードに関連付けられた第１の構成情報を含む第１のメッセージを生成するように構成された構成生成器と、
構成情報を第２のノードと交換するために、前記第１のメッセージを前記第２のノードに伝送するように構成された送信機と
を備え、
前記第１のノードおよび前記第２のノードは、基地局として、無線ネットワーク内の少なくとも１つのセルに協働してサービス提供し、
前記第１の構成情報は、
前記第２のノードが前記第１のノードを識別するための前記第１のノードの識別情報と、
前記第１のノードによってサポートされる公衆移動通信網または追跡エリア識別のリストと、
前記第１のノードのプロトコルバージョンと、
各追跡エリア識別ごとの前記第１のノードによってサポートされるネットワークスライスについての情報と
のうちの少なくとも１つを含む、第１のノード。
【請求項１０】
第１のノードであって、前記第１のノードは、
構成情報を第２のノードと交換するための第１のメッセージを前記第２のノードから受信するように構成された受信機を備え、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供し、
前記第１の構成情報は、
前記第１のノードが前記第２のノードを識別するための前記第２のノードの識別情報と、
前記第２のノードによってサポートされる公衆移動通信網または追跡エリア識別のリストと、
前記第２のノードのプロトコルバージョンと、
各追跡エリア識別ごとの前記第２のノードによってサポートされるネットワークスライスについての情報と
のうちの少なくとも１つを含む、第１のノード。
【手続補正２】
【補正対象書類名】明細書
【補正対象項目名】０００８
【補正方法】変更
【補正の内容】
【０００８】
さらに別の実施形態では、第１のノードが、開示される。第１のノードは、構成情報を第２のノードと交換するための第１のメッセージを第２のノードから受信するように構成された受信機を備え、第１のメッセージは、第２のノードに関連付けられた第１の構成情報を含み、第１のノードおよび第２のノードは、基地局として、無線ネットワーク内の１つ以上のセルに協働してサービス提供する。
本発明はさらに、例えば、以下を提供する。
（項目１）
第１のノード上に実装される方法であって、前記方法は、
前記第１のノードに関連付けられた第１の構成情報を含む第１のメッセージを生成することと、
構成情報を第２のノードと交換するために、前記第１のメッセージを前記第２のノードに伝送することと
を含み、
前記第１のノードおよび前記第２のノードは、基地局として、無線ネットワーク内の少なくとも１つのセルに協働してサービス提供する、方法。
（項目２）
前記第１のノードは、前記基地局の分散型ユニットであり、前記第２のノードは、前記基地局の集中型ユニットである、項目１に記載の方法。
（項目３）
前記第１の構成情報は、
前記第２のノードが前記第１のノードを識別および管理するための前記第１のノードの識別情報であって、前記識別情報は、識別フラグまたは前記第１のノードと前記第２のノードとの間の伝送チャネルについての情報によって搬送される、識別情報と、
前記第１のノードによってサポートされる公衆移動通信網または追跡エリア識別のリストと、
前記第１のノードの能力情報と、
前記第１のノードに関連付けられた前記少なくとも１つのセルの容量クレジット情報と、
前記第１のノードの容量クレジット情報と、
各公衆移動通信網または各追跡エリア識別ごとの前記第１のノードによってサポートされるネットワークスライスについての情報と、
前記第１のノードによってサポートされるエアインターフェースのタイプと
のうちの少なくとも１つを含む、項目１に記載の方法。
（項目４）
前記第１のノードに関連付けられた更新された構成情報を含む更新要求メッセージを生成することと、
前記第１のノードに関連付けられた前記第１の構成情報を更新するために、前記更新要求メッセージを前記第２のノードに伝送することと、
第２のメッセージおよび第３のメッセージのうちの少なくとも１つを前記第２のノードから受信することであって、
前記第２のメッセージは、前記更新の確認を示し、
前記第３のメッセージは、前記更新の失敗を示す、
ことと
をさらに含む、項目１に記載の方法。
（項目５）
第２のメッセージおよび第３のメッセージのうちの少なくとも１つを前記第２のノードから受信することをさらに含み、
前記第２のメッセージは、前記第２のノードに関連付けられた第２の構成情報を含み、
前記第３のメッセージは、前記構成情報の交換の失敗を示す、項目１に記載の方法。
（項目６）
前記第２の構成情報は、
前記第２のノードの識別情報と、
前記第２のノードによってサポートされる公衆移動通信網または追跡エリア識別のリストと、
各公衆移動通信網または各追跡エリア識別ごとの前記第２のノードによってサポートされるネットワークスライスについての情報と、
前記第２のノードが属するプールについての情報と
のうちの少なくとも１つを含む、項目５に記載の方法。
（項目７）
前記第２のノードから、前記第２のノードに関連付けられた前記第２の構成情報を更新するための更新要求メッセージを受信することであって、前記更新要求メッセージは、前記第２のノードに関連付けられた更新された構成情報を含む、ことと、
第２のメッセージおよび第３のメッセージのうちの少なくとも１つを前記第２のノードに伝送することであって、
前記第２のメッセージは、前記更新の確認を示し、
前記第３のメッセージは、前記更新の失敗を示す、
ことと
をさらに含む、項目５に記載の方法。
（項目８）
ステータス要求メッセージを前記第２のノードから受信することであって、前記ステータス要求メッセージは、前記第１のノードに関連付けられた前記少なくとも１つのセルに関連するリソースステータス情報を要求するために、前記第２のノードによって送信される、ことと、
前記第２のノードによって要求される前記リソースステータス情報の少なくとも一部を含むステータス更新メッセージを生成することと、
前記ステータス更新メッセージを前記第２のノードに伝送することと
をさらに含む、項目１に記載の方法。
（項目９）
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、項目８に記載の方法。
（項目１０）
第２のメッセージおよび第３のメッセージのうちの少なくとも１つを前記第２のノードに伝送することをさらに含み、
前記第２のメッセージは、前記少なくとも１つのセルのうちのいくつかにおけるリソースステータス情報の測定失敗を示し、
前記第３のメッセージは、前記少なくとも１つのセルの全てにおけるリソースステータス情報の測定失敗を示す、項目８に記載の方法。
（項目１１）
第１のノード上に実装される方法であって、前記方法は、
構成情報を第２のノードと交換するための第１のメッセージを前記第２のノードから受信することを含み、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供する、方法。
（項目１２）
前記第１のノードは、前記基地局の集中型ユニットであり、
前記第２のノードは、前記基地局の分散型ユニットである、項目１１に記載の方法。
（項目１３）
前記第１の構成情報は、
前記第１のノードが前記第２のノードを識別および管理するための前記第２のノードの識別情報であって、前記識別情報は、識別フラグまたは前記第１のノードと前記第２のノードとの間の伝送チャネルについての情報によって搬送される、識別情報と、
前記第２のノードによってサポートされる公衆移動通信網または追跡エリア識別のリストと、
前記第２のノードの能力情報と、
前記第２のノードに関連付けられた前記少なくとも１つのセルの容量クレジット情報と、
前記第２のノードの容量クレジット情報と、
各公衆移動通信網または各追跡エリア識別ごとの前記第２のノードによってサポートされるネットワークスライスについての情報と、
前記第２のノードによってサポートされるエアインターフェースのタイプと
のうちの少なくとも１つを含む、項目１１に記載の方法。
（項目１４）
前記第２のノードに関連付けられた前記第１の構成情報を更新するための更新要求メッセージを前記第２のノードから受信することであって、前記更新要求メッセージは、前記第２のノードに関連付けられた更新された構成情報を含む、ことと、
第２のメッセージおよび第３のメッセージのうちの少なくとも１つを前記第２のノードに伝送することであって、
前記第２のメッセージは、前記更新の確認を示し、
前記第３のメッセージは、前記更新の失敗を示す、
ことと
をさらに含む、項目１１に記載の方法。
（項目１５）
第２のメッセージおよび第３のメッセージのうちの少なくとも１つを前記第２のノードに伝送することをさらに含み、
前記第２のメッセージは、前記第１のノードに関連付けられた第２の構成情報を含み、
前記第３のメッセージは、前記構成情報の交換の失敗を示す、項目１１に記載の方法。
（項目１６）
前記第２の構成情報は、
前記第１のノードの識別情報と、
前記第１のノードによってサポートされる公衆移動通信網または追跡エリア識別のリストと、
各公衆移動通信網または各追跡エリア識別ごとの前記第１のノードによってサポートされるネットワークスライスについての情報と、
前記第１のノードが属するプールについての情報と
のうちの少なくとも１つを含む、項目１５に記載の方法。
（項目１７）
前記第２のノードに、前記第１のノードに関連付けられた前記第２の構成情報を更新するための更新要求メッセージを伝送することであって、前記更新要求メッセージは、前記第１のノードに関連付けられた更新された構成情報を含む、ことと、
第２のメッセージおよび第３のメッセージのうちの少なくとも１つを前記第２のノードから受信することであって、
前記第２のメッセージは、前記更新の確認を示し、
前記第３のメッセージは、前記更新の失敗を示す
ことと
をさらに含む、項目１５に記載の方法。
（項目１８）
前記第２のノードに、前記第２のノードに関連付けられた前記少なくとも１つのセルに関連するリソースステータス情報を要求するためのステータス要求メッセージを伝送することと、
前記第２のノードから、前記第１のノードによって要求される前記リソースステータス情報の少なくとも一部を含むステータス更新メッセージを受信することと
をさらに含む、項目１１に記載の方法。
（項目１９）
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、項目１８に記載の方法。
（項目２０）
第２のメッセージおよび第３のメッセージのうちの少なくとも１つを前記第２のノードから受信することをさらに含み、
前記第２のメッセージは、前記少なくとも１つのセルのうちのいくつかにおけるリソースステータス情報の測定失敗を示し、
前記第３のメッセージは、前記少なくとも１つのセルの全てにおけるリソースステータス情報の測定失敗を示す、項目１８に記載の方法。
（項目２１）
第１のノードであって、前記第１のノードは、
前記第１のノードに関連付けられた第１の構成情報を含む第１のメッセージを生成するように構成された構成生成器と、
構成情報を第２のノードと交換するために、前記第１のメッセージを前記第２のノードに伝送するように構成された送信機と
を備え、
前記第１のノードおよび前記第２のノードは、基地局として、無線ネットワーク内の少なくとも１つのセルに協働してサービス提供する、第１のノード。
（項目２２）
前記第１の構成情報は、
前記第２のノードが前記第１のノードを識別および管理するための前記第１のノードの識別情報であって、前記識別情報は、識別フラグまたは前記第１のノードと前記第２のノードとの間の伝送チャネルについての情報によって搬送される、識別情報と、
前記第１のノードによってサポートされる公衆移動通信網または追跡エリア識別のリストと、
前記第１のノードに関連付けられた少なくとも１つのセルの容量クレジット情報と、
前記第１のノードの容量クレジット情報と、
各公衆移動通信網または各追跡エリア識別ごとの前記第１のノードによってサポートされるネットワークスライスについての情報と、
前記第１のノードによってサポートされるエアインターフェースのタイプと
のうちの少なくとも１つを含む、項目２１に記載の第１のノード。
（項目２３）
ステータス要求メッセージを前記第２のノードから受信するように構成された受信機であって、前記ステータス要求メッセージは、前記第１のノードに関連付けられた前記少なくとも１つのセルに関連するリソースステータス情報を要求するために、前記第２のノードによって送信される、受信機と、
前記第２のノードによって要求される前記リソースステータス情報の少なくとも一部を含むステータス更新メッセージを生成するように構成されたステータスレポータと
をさらに備え、
前記送信機は、前記ステータス更新メッセージを前記第２のノードに伝送するようにさらに構成されている、項目２１に記載の第１のノード。
（項目２４）
前記リソースステータス情報は、前記少なくとも１つのセルのための以下の情報：
前記リソースステータス情報に関連する各セルのグローバルセル識別と、
セルごとのハードウェアの負荷情報と、
前記少なくとも１つのセルによって経験されるフロントホールインターフェーストランスポートネットワーク負荷のステータスと、
セルごとの無線リソース使用量と、
ダウンリンクおよびアップリンクにおける前記少なくとも１つのセルの全体的利用可能リソースレベルと、
セルごとのアイドル状態にある第１の現在のユーザの数と、
セルごとの接続状態にある第２の現在のユーザの数と
のうちの少なくとも１つを含む、項目２３に記載の第１のノード。
（項目２５）
第１のノードであって、前記第１のノードは、
構成情報を第２のノードと交換するための第１のメッセージを前記第２のノードから受信するように構成された受信機を備え、
前記第１のメッセージは、前記第２のノードに関連付けられた第１の構成情報を含み、前記第１のノードおよび前記第２のノードは、基地局として、無線ネットワーク内の少なくとも１つのセルに協働してサービス提供する、第１のノード。
【国際調査報告】
2020523808.tif 000014
2020523808.tif 000015